(57)【要約】【課題】  本発明は炭酸ガスを効率よく植物の葉緑素に取り入れられ、炭酸同化作用を起こすとともに、ハウス内の温度上昇を抑え、かつハウス外への炭酸ガスの流出を効率よく阻止することができる植物への炭酸ガスの供給方法および供給装置を得るにある。【解決手段】  給水配管に介装されたインラインミキサーに炭酸ガスと水を供給して炭酸水を製造する炭酸水の製造工程と、この炭酸水の製造工程で製造された炭酸水をハウス内あるいはハウス内の植物へ噴霧する炭酸水の噴霧工程とで植物への炭酸ガスの供給方法を構成している。【選択図】  図１
2008199920.tif 000002
【特許請求の範囲】
【請求項１】
給水配管に介装されたインラインミキサーに炭酸ガスと水を供給して炭酸水を製造する炭酸水の製造工程と、この炭酸水の製造工程で製造された炭酸水をハウス内へスプレーするスプレー工程と、このスプレー工程後にスプレーされた炭酸水をハウス内の植物の葉面へ付着させるようにフアンで送るフアン送付工程とからなることを特徴とする植物への炭酸ガスの供給方法。
【請求項２】
炭酸ガス溶解槽内に収納された水内に、炭酸ガス高圧容器からの炭酸ガスをバブリングできるように供給して炭酸水を製造する炭酸水の製造工程と、この炭酸水の製造工程で製造された炭酸水をハウス内へスプレーするスプレー工程と、このスプレー工程後にスプレーされた炭酸水をハウス内の植物の葉面へ付着させるようにフアンで送るフアン送付工程とからなることを特徴とする植物への炭酸ガスの供給方法。
【請求項３】
炭酸ガス溶解槽と、この炭酸ガス溶解槽内へ水を供給する水の供給装置と、前記炭酸ガス溶解槽内でバブリングできるように、該炭酸ガス溶解槽内へ炭酸ガスを供給する炭酸ガスの供給装置と、前記炭酸ガス溶解槽内の炭酸水をハウス内の複数個のノズルよりスプレーさせるスプレー装置と、このスプレー装置でスプレーされた炭酸水をハウス内の植物の葉面へ付着させるように送るフアンとからなることを特徴とする植物への炭酸ガスの供給装置。
【請求項４】
炭酸ガス溶解槽と、この炭酸ガス溶解槽内へ常時一定の水位となるように水を供給する水の供給装置と、前記炭酸ガス溶解槽内でバブリングできるように、該炭酸ガス溶解槽内へ炭酸ガスを供給する炭酸ガスの供給装置と、前記炭酸ガス溶解槽内の炭酸水のペーハーを測定して、あらかじめ設定されたペーハーとなるように前記炭酸ガスの供給装置での炭酸ガスの供給を制御する制御装置と、前記炭酸ガス溶解槽内の炭酸水をハウス内の複数個のノズルよりスプレーさせるスプレー装置と、このスプレー装置でスプレーされた炭酸水をハウス内の植物の葉面へ付着させるように送るフアンとからなることを特徴とする植物への炭酸ガスの供給装置。
【発明の詳細な説明】
【技術分野】
【０００１】
本発明はハウス栽培の植物への炭酸ガスの供給方法および供給装置に関する。
【背景技術】
【０００２】
従来、植物を栽培するハウスでは早朝、炭酸ガス濃度が著しく低下するため、灯油やプロパン等の燃焼ガスから発生する炭酸ガスでハウス内の炭酸ガス濃度を高くし、植物による炭酸同化作用を促進させ、植物の生長を促進させる方法が採られている。
また、燃焼ガスを用いることなく、炭酸ガスの充填された高圧ガス容器から炭酸ガスを導入して、ハウス内に散布する方法も採られている。
【０００３】
しかしながら、前者の燃焼ガスを用いる方法は燃料の硫黄分に由来する硫化水素や、不完全燃焼による一酸化炭素等の有害な不純物が混入するため、植物に悪影響をおよぼすという欠点があるとともに、日の出後、ハウス内の温度が日光の熱で急激に上昇するため、天窓を開けて換気をするが、燃焼ガスを用いる場合にはさらに高温となり、換気量を多くしなければならず、せっかく入れた炭酸ガスが有効に利用されないで排出されてしまうという欠点があった。
また、後者の炭酸ガス容器からの炭酸ガスの導入の場合、不純物がほとんど入っておらず、前記欠点を解消することができるが、炭酸ガスの費用が燃焼ガスの費用に比べ、コスト高になるという欠点があった。
【特許文献１】特になし
【発明の開示】
【発明が解決しようとする課題】
【０００４】
本発明は以上のような従来の欠点に鑑み、炭酸ガスを効率よく植物の葉緑素に取り入れられ、炭酸同化作用を起こすとともに、ハウス内の温度上昇を抑え、かつハウス外への炭酸ガスの流出を効率よく阻止することができる植物への炭酸ガスの供給方法および供給装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は給水配管に介装されたインラインミキサーに炭酸ガスと水を供給して炭酸水を製造する炭酸水の製造工程と、この炭酸水の製造工程で製造された炭酸水をハウス内へスプレーするスプレー工程と、このスプレー工程後にスプレーされた炭酸水をハウス内の植物の葉面へ付着させるようにフアンで送るフアン送付工程とで植物への炭酸ガスの供給方法を構成している。
【０００７】
本発明は炭酸ガス溶解槽内に収納された水内に、炭酸ガス高圧容器からの炭酸ガスをバブリングできるように供給して炭酸水を製造する炭酸水の製造工程と、この炭酸水の製造工程で製造された炭酸水をハウス内へスプレーするスプレー工程と、このスプレー工程後にスプレーされた炭酸水をハウス内の植物の葉面へ付着させるようにフアンで送るフアン送付工程とで植物への炭酸ガスの供給方法を構成している。
【０００８】
本発明は炭酸ガス溶解槽と、この炭酸ガス溶解槽内へ水を供給する水の供給装置と、前記炭酸ガス溶解槽内でバブリングできるように、該炭酸ガス溶解槽内へ炭酸ガスを供給する炭酸ガスの供給装置と、前記炭酸ガス溶解槽内の炭酸水をハウス内の複数個のノズルよりスプレーさせるスプレー装置と、このスプレー装置でスプレーされた炭酸水をハウス内の植物の葉面へ付着させるように送るフアンとで植物への炭酸ガスの供給装置を構成している。
【０００９】
本発明は炭酸ガス溶解槽と、この炭酸ガス溶解槽内へ常時一定の水位となるように水を供給する水の供給装置と、前記炭酸ガス溶解槽内でバブリングできるように、該炭酸ガス溶解槽内へ炭酸ガスを供給する炭酸ガスの供給装置と、前記炭酸ガス溶解槽内の炭酸水のペーハーを測定して、あらかじめ設定されたペーハーとなるように前記炭酸ガスの供給装置での炭酸ガスの供給を制御する制御装置と、前記炭酸ガス溶解槽内の炭酸水をハウス内の複数個のノズルよりスプレーさせるスプレー装置と、このスプレー装置でスプレーされた炭酸水をハウス内の植物の葉面へ付着させるように送るフアンとで植物の炭酸ガスの供給装置を構成している。
【発明の効果】
【００１０】
以上の説明から明らかなように、本発明にあっては次に列挙する効果が得られる。
【００１１】
(１)  給水配管に介装されたインラインミキサーに炭酸ガスと水を供給して炭酸水を製造する炭酸水の製造工程と、この炭酸水の製造工程で製造された炭酸水をハウス内へスプレーするスプレー工程と、このスプレー工程後にスプレーされた炭酸水をハウス内の植物の葉面へ付着させるようにフアンで送るフアン送付工程とからなるので、ハウス内の植物にスプレーされた炭酸水をフアンで送付して葉面に付着させことができる。
このため、炭酸ガスが植物の葉面への付着までに、気化するのを半減させることができるとともに、炭酸ガスが植物の葉緑素に有効に取り入れられ炭酸同化作用を促進させて、植物の生長を促進させることができる。
【００１２】
（２）前記（１）によって、炭酸水を用いるため、燃焼ガスを用いるものに比べ、安全で低コストで使用することができる。
【００１３】
（３）前記（１）によって、炭酸水のスプレーによって、ハウス内の温度上昇を阻止して換気するのを低減し、ハウス外への炭酸ガスの流出を効率よく防止できる。
【００１４】
（４）前記（１）によって、植物にスプレーされた炭酸水を付着させることができるので、炭酸水に含まれている炭酸ガスによるうどん粉病等を防ぐ効果、静菌作用、弱酸性により虫の付着や病害虫の発生を効率よく防止することができる。
【００１５】
（５）請求項２も前記（１）〜（４）と同様な効果が得られる。
【００１６】
（６）請求項３、４も前記（１）〜（４）と同様な効果が得られるとともに、最適な炭酸水を噴霧することができる。
【発明を実施するための最良の形態】
【００１７】
以下、図面に示す本発明を実施するための最良の形態により、本発明を詳細に説明する。
【００１８】
図１ないし図３に示す本発明を実施するための最良の第１の形態において、１はハウス２で栽培される植物３へ炭酸ガスを供給する植物への炭酸ガスの供給方法で、この植物への炭酸ガスの供給方法１は密閉状態の炭酸ガス溶解槽４内に水の供給装置５で水を供給し、該炭酸ガス溶解槽４内に収納された水内に炭酸ガス供給装置６からの炭酸ガスをバブリングできるように供給して炭酸水を製造する炭酸水の製造工程７と、この炭酸水の製造工程７で製造された炭酸水をスプレー装置８で、前記ハウス２内の上部からスプレーする炭酸水のスプレー工程９と、このスプレー工程９後にスプレーされた炭酸水をハウス２内の植物の葉面へ付着させるようにフアン１９で送るフアン送付工程３５とで構成されている。
【００１９】
前記水の供給装置５は井戸１０内の地下水１１をポンプ１２および浮き玉フロート弁１３を介して、前記炭酸ガス溶解槽４内へ常時一定の水位となるように供給されるように構成されている。
【００２０】
前記炭酸ガスの供給装置６は炭酸ガス高圧容器１４と、この炭酸ガス高圧容器１４内の炭酸ガスを、前記炭酸ガス溶解槽４の下部位置に開放する炭酸ガス供給ホース１５と、前記炭酸ガス溶解槽４内の炭酸水のペーハーを測定するペーハー測定器１６と、このペーハー測定器１６で、例えば６〜５．５のペーハーを測定すると、前記炭酸ガス供給ホース１５に介装された電磁開閉弁１７を閉じるように制御する炭酸ガス制御装置１８とで構成されている。
【００２１】
前記スプレー装置８は前記ハウス２内に設けた、該ハウス２内へそれぞれ炭酸水を植物に付着するまで気化しずらいスプレー状にする複数個のスプレーノズル２０、２０、２０、２０、２０と、この複数個のスプレーノズル２０、２０、２０、２０、２０へ前記炭酸ガス溶解槽４内の炭酸水を送液ポンプ２１を介して供給する炭酸水供給パイプ２２とで構成されている。
【００２２】
前記フアン１９はハウス２内のスプレースプレーノズル２０、２０、２０、２０、２０でスプレーされた炭酸水を気化しないように植物の葉面に付着するように送付するものである。
【００２３】
上記構成の植物への炭酸ガスの供給方法１および供給装置２３は、炭酸ガス溶解槽４内へ水の供給装置５で常時一定の水位となるように水が供給されるとともに、炭酸ガス溶解槽４内の炭酸水が一定のペーハーとなるように炭酸ガスの供給装置６で炭酸ガスが供給され、常時一定のペーハーの炭酸水となるように制御されている。
送風ファン１９、１９、１９、１９および送液ポンプ２１を駆動させると、炭酸水がスプレー状に複数個のスプレーノズル２０、２０、２０、２０、２０より
ハウス２内へスプレーされ、このハウス２内へスプレーされたスプレー状炭酸水は送風ファン１９、１９、１９、１９で植物の葉面に付着するように送付される。
[発明を実施するための異なる形態]
【００２４】
次に、図４ないし図１１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２５】
図４および図５に示す本発明を実施するための第２の形態において、前記本発明を実施するための最良の第１の形態と主に異なる点は、炭酸ガス溶解槽４内へ水道水を供給する水の供給装置５Ａを用いた炭酸水の製造工程７Ａを行なった点で、このような炭酸水の製造工程７Ａおよび水の供給装置５Ａを用いて構成した植物への炭酸ガスの供給方法１Ａおよび供給装置２３Ａにしても、前記本発明を実施するための最良の第１の形態と同様な作用効果が得られる。
【００２６】
図６ないし図８に示す本発明を実施するための第３の形態において、前記本発明を実施するための最良の第１の形態と主に異なる点は、複数個のノズル２０ａが形成された楕円形状のスプレーノズル２０Ａを使用するスプレー装置８Ａを用いて、炭酸水のスプレー工程９Ａを行なった点で、このような炭酸水のスプレー工程９Ａを用いて構成した植物への炭酸ガスの供給方法１Ｂ
および供給装置２３Ｂにしても、前記本発明を実施するための最良の第１の形態と同様な作用効果が得られる。
【００２７】
図９ないし図１１に示す本発明を実施するための第４の形態において、前記本発明を実施するための最良の第１の形態と主に異なる点は、給水配管２４に介装されたインラインミキサー２５に炭酸ガスの供給装置６からの炭酸ガスと水の供給装置５Ａからの水を供給して炭酸水を製造する炭酸水の製造工程７Ｂを行なった点で、このような炭酸水の製造工程７Ｂを用いて構成した植物への炭酸ガスの供給方法１Ｃおよび供給装置２３Ｃにしても、前記本発明を実施するための最良の第１の形態と同様な作用効果が得られる。
前記インラインミキサー２５は図１１および図１２に示すように上流側が径違いオスソケット２６及びオスベント２７、下流側が径違いオスソケット２６で給水配管２４に介装されたミキサータンク２８と、このミキサータンク２８内に少なくとも流れ方向に３個以上、本実施の形態では５個の混合室２９、２９、２９、２９、２９となるように仕切る４本の心棒３０、３０、３０、３０と間隔保持菅３１とで固定された５個の仕切壁３２、３２、３２、３２、３２と、この５個の仕切壁３２、３２、３２、３２、３２にそれぞれ形成された前記混合室２９、２９、２９、２９、２９内への流入、流出孔となる、異なる部位に位置して、該混合室２９、２９、２９、２９、２９内で渦流を生じさせる、給水配管２４の内径寸法よりも小径寸法の透孔３３、３３、３３、３３、３３と、前記オスベント２７に取付けられた炭酸ガスの供給装置6に接続され上流部位の混合室２９内に炭酸ガスを供給するノズル３４とで構成されている。
【００２８】
なお、前記本発明を実施する各形態ではハウス２の上部より炭酸水をスプレーするスプレー装置８、８Ａを用いるものについて説明したが、本発明はこれに限らず、ハウスの側面あるいは手作業で植物へスプレーする炭酸水のスプレー装置を用いてもよい。
【産業上の利用可能性】
【００２９】
本発明は縮物への炭酸ガスの供給装置を製造する産業で利用される。
【図面の簡単な説明】
【００３０】
【図１】本発明を実施するための最良の第１の形態の工程図。
【図２】本発明を実施するための最良の第１の形態の植物への炭酸ガスの供給装置の概略説明図。
【図３】本発明を実施するための最良の第１の形態のスプレー装置の説明図。
【図４】本発明を実施するための第２の形態の工程図。
【図５】本発明を実施するための第２の形態の植物への炭酸ガスの供給装置の概略説明図。
【図６】本発明を実施するための第３の形態の工程図。
【図７】本発明を実施するための第３の形態の植物への炭酸ガスの供給装置の概略説明図。
【図８】本発明を実施するための第３の形態のスプレー装置の説明図。
【図９】本発明を実施するための第４の形態の工程図。
【図１０】本発明を実施するための第４の形態の植物への炭酸ガスの供給装置の概略説明図。
【図１１】本発明を実施するための第４の形態のインラインミキサーの説明図。
【符号の説明】
【００３１】
１、１Ａ、１Ｂ、１Ｃ：植物への炭酸ガスの供給方法、
２：ハウス、                                                ３：植物、
４：炭酸ガス溶解槽、                    ５、５Ａ：水の供給装置、            
６：炭酸ガスの供給装置、                        ７、７Ａ、７Ｂ：炭酸水の製造工程、
８、８Ａ：スプレー装置、                        ９、９Ａ：炭酸水のスプレー工程、
１０：井戸、                                                １１：地下水、
１２：ポンプ、                                １３：浮き玉フロート弁、
１４：炭酸ガス高圧容器、                        １５：炭酸ガス供給ホース、
１６：ペーハー測定器、                １７：電磁開閉弁、
１８：炭酸ガス制御装置、                        １９：送風ファン、
２０：スプレーノズル、                ２１：送液ポンプ、
２２：炭酸水供給パイプ、
２３、２３Ａ、２３Ｂ、２３Ｃ：植物への炭酸ガスの供給装置、
２４：給水配管、              ２５：インラインミキサー、
２６：オスソケット、          ２７：オスベント、
２８：ミキサータンク、        ２９：混合室、
３０：心棒、                  ３１：間隔保持菅、
３２：仕切壁、                ３３：透孔、
３４：ノズル、                ３５：フアン送付工程。
【図１】
2008199920.tif 000003
【図２】
2008199920.tif 000004
【図３】
2008199920.tif 000005
【図４】
2008199920.tif 000006
【図５】
2008199920.tif 000007
【図６】
2008199920.tif 000008
【図７】
2008199920.tif 000009
【図８】
2008199920.tif 000010
【図９】
2008199920.tif 000011
【図１０】
2008199920.tif 000012
【図１１】
2008199920.tif 000013